(57)【要約】【課題】本発明は上記ペダルに繰り返し踏み力を与える時に、乗員の双脚の大腿や下腿等に内反り力を強制的に与え、Ｏ脚等の姿勢矯正や、大腿や下腿、体幹部の筋力強化と贅肉低減等のシェイプアップを図ることができる自転車におけるペダルを提供するものである。【解決手段】クランクアーム１の外端に自転可に取り付けられたペダル２の踏み面を、ペダル２外端から同内端へ向け下り勾配となる傾斜踏み面３とし、乗員の双脚に該傾斜踏み面３に応じた負荷が加わる構成とした自転車におけるペダル。【選択図】        図１
2005138619.tif 000002
【特許請求の範囲】
【請求項１】
クランクアームの外端に自転可に取り付けられたペダルの踏み面を、ペダル外端から同内端へ向け下り勾配となる傾斜踏み面とし、乗員の双脚に該傾斜踏み面に応じた負荷が加わる構成としたことを特徴とする自転車におけるペダル。
【請求項２】
上記傾斜踏み面をペダルの一方の踏み面に形成し、他方の踏み面は水平踏み面としたことを特徴とする請求項１記載の自転車におけるペダル。
【請求項３】
上記ペダルの内端（傾斜踏み面の下端）に足の内側面が当たる足止めを配設したことを特徴とする請求項１記載の自転車におけるペダル。
【発明の詳細な説明】
【技術分野】
【０００１】
この発明の自転車は移動自転車とフィットネスクラブ等で用いられる固定自転車（フィットネスバイク）を対象とし、殊にこれら自転車におけるペダルにシェイプアップ効果を具有せしめた発明である。
【背景技術】
【０００２】
上記自転車におけるペダルはクランクアームの外端に回動可（自転可）に取り付けられ、且つクランクアーム軸（クランクアーム内端の回動軸）を中心に公転可に取り付けられており、ペダルは踏み力を加えた時にクランクアーム軸を中心に公転しつつ相対自転し、ペダル踏み面と足裏との密接状態を保ちつつ、繰り返し踏み力によりクランクアームを介して駆動輪に回転駆動力を与える構成となっている。
【０００３】
一般的に上記ペダルはその踏み面が水平面、即ちクランクアームの回動軸線に対し平行踏み面となるように取り付けられ、該ペダル踏み面に対し乗員の踏み力が効率的に与えられる構造となっている。
【発明の開示】
【発明が解決しようとする課題】
【０００４】
而して本発明は上記ペダルに繰り返し踏み力を与える時に、乗員の双脚の大腿や下腿等に内反り力を強制的に与え、Ｏ脚等の姿勢矯正や、大腿や下腿、体幹部の筋力強化と贅肉低減等のシェイプアップを図ることができる自転車におけるペダルを提供するものである。
【課題を解決するための手段】
【０００５】
本発明はクランクアームの外端に自転可に取り付けられたペダルの踏み面を、ペダル外端から同内端へ向け下り勾配となる傾斜踏み面とし、即ちペダルの踏み面をクランクアームの回動軸線（ペダルの公転軸線）に対しペダル外端から同内端へ向け下り勾配となる傾斜踏み面とし、乗員の双脚に該傾斜踏み面に応じた負荷（内反り力）が加わる構成として上記シェイプアップ効果が得られるようにした自転車におけるペダルを提供するものである。
【０００６】
上記ペダルにより乗員の双脚の大腿と下腿等に、常態では加わらない負荷を強制的に与え、上記シェイプアップが期待できる。
【０００７】
上記傾斜踏み面は自転可に取り付けられたペダルの一方の踏み面に形成し、他方の踏み面を水平踏み面とし、即ち上記クランクアームの回動軸線と平行な踏み面にし、一方の傾斜踏み面を使用して上記シェイプアップ効果を得、他方の水平踏み面を通常走行時の使用に供する。
【０００８】
上記ペダルの内端、即ち上記傾斜踏み面の下端には足の内側面が当たる足止めを配設し、足が傾斜踏み面の下端から内側方へ移動するのを防止し、足裏と傾斜踏み面の密接を保持する。
【発明を実施するための最良の形態】
【０００９】
本発明はクランクアーム１の外端に自転可に取り付けられたペダル２の踏み面を、ペダル２外端から同内端へ向け下り勾配となる傾斜踏み面３とし、即ちペダル２の踏み面をクランクアーム１の回動軸線（ペダルの公転軸線）Ｘ１に対しペダル２外端から同内端へ向け下り勾配となる傾斜踏み面３とし、乗員の双脚に該傾斜踏み面３に応じた負荷（内反り力）が加わる構成として上記シェイプアップ効果が得られるようにした自転車におけるペダル２を提供するものである。
【００１０】
上記基本思想に従い図１に示すように、上記ペダル２の一方の踏み面のみを傾斜踏み面３とする。
【００１１】
詳述するとクランクアーム１の内端を駆動輪１６の中心部に駆動輪１６と一体に回動するように軸支すると共に、クランクアーム１の外端に自転可に取り付けた上記ペダル２の一方の踏み面をペダル２外端から内端へ下り勾配となる傾斜踏み面３にし、即ちクランクアーム１の回動軸線（ペダルの公転軸線）Ｘ１に対しペダル２外端から同内端へ向け下り勾配となる傾斜踏み面３とし、他方の踏み面を水平踏み面４とし、即ち上記クランクアーム１の回動軸線Ｘ１と平行な踏み面４にし、一方の傾斜踏み面３を使用して上記シェイプアップ効果を得、他方の水平踏み面４を通常走行の使用に供する。
【００１２】
又上記基本思想に従い図２に示すように、上記ペダル２の一方の踏み面と他方の踏み面を上記傾斜踏み面３にする。
【００１３】
詳述すると、上記ペダル２の一方の踏み面をペダル２の外端から内端へ下り勾配となる傾斜踏み面３にし、即ちクランクアーム１の回動軸線（ペダルの公転軸線）Ｘ１に対しペダル２外端から同内端へ向け下り勾配となる傾斜踏み面３とすると共に、他方の踏み面もペダル２外端から内端へ下り勾配となる傾斜踏み面３にし、即ちクランクアーム１の回動軸線（ペダルの公転軸線）Ｘ１に対しペダル２外端から同内端へ向け下り勾配となる傾斜踏み面３とし、各傾斜踏み面３を選択して使用し、上記シェイプアップ効果を得る。
【００１４】
上記図２のようにペダル２の両面に傾斜踏み面３を設ける場合には、一方の傾斜踏み面３を急勾配にし、他方の傾斜踏み面３を緩勾配にし、シェイプアップ効果に強弱を付ける。
【００１５】
又上記基本思想に従い図３に示すように、ペダル２の一方の踏み面と他方の踏み面を互いに平行にし、該ペダル２をペダル自転軸線Ｘ２が軸線外端側から軸線内端側へ下り勾配となるようにクランクアーム１の外端に自転可に取り付け、よって一方と他方のペダル踏み面を外端から内端へ向け下り勾配となる傾斜踏み面３とする。即ちペダル２の傾斜取り付けによって一方と他方のペダル踏み面がクランクアーム１の回動軸線Ｘ１に対しペダル２外端から同内端へ向け下り勾配となる傾斜踏み面３とする。
【００１６】
上記図３の如くペダル２を傾斜取り付けする場合には、ペダル取り付け用アダプタ５を用意する。該ペダル取り付け用アダプタ５は一端にクランクアーム１の回動軸線Ｘ１と平行に突出する雄ねじ６を有し、他端に同回動軸線Ｘ１に対し、外端から内端へ向け下り勾配となる傾斜ボス７を有し、雄ねじ６を以ってクランクアーム１の外端（同外端の中心に設けた雌ねじ孔）に螺合締結すると共に、傾斜ボス７（同ボス７の中心に設けた雌ねじ孔）にペダル２の内端に突出した雄ねじ８を螺合締結し、よってペダル２をクランクアーム１の外端に傾斜取り付けする。
【００１７】
上記傾斜踏み面３の回動軸線Ｘ１（ペダル２の公転軸線）に対する傾斜角度αは、その効果から１５度から３０度の範囲で選択する。
【００１８】
図１に示すように、傾斜踏み面３を急勾配にすることによってペダル２の外側面の高さ方向の幅（厚み）を拡幅でき、これを利用し、図１に示すように、この幅広外側面に反射板（レフレクター）１７を取り付ける。傾斜踏み面３の形成によって相乗的に反射板１７の側面衝突防止効果を高める。
【００１９】
上記雄ねじ６と傾斜ボス７の取り付け手段間に傾斜踏み面３を超えて突出するフランジを設け、該フランジを足止め９とする。換言するとフランジの中心部に内方へ向け突出する雄ねじ６を設け、同中心部に外方へ向け突出する傾斜ボス７を設け、三者６，７，９を一体構造としたペダル取り付け用アダプタ５を形成する。
【００２０】
上記フランジから成る足止め９はペダル２の内端、即ち傾斜踏み面３の下端に配置され、足の内側面が傾斜踏み面３の下端から内側方へ移動するのを防止し、足裏と傾斜踏み面３の接触を保持する。
【００２１】
同様に図１，図２と、以下に述べる図４に示す実施形態例においても上記ペダル２の内端、即ち傾斜踏み面３の下端に足の内側面が当たる足止め９をペダル２と一体に突設することができる。
【００２２】
又上記基本思想に従い図４，図５に示すように、補助ペダル１０を別体にて形成し、該補助ペダル１０を既設の自転車ペダル２′の踏み面に重ねて組み付けし、該補助ペダル１０の踏み面をその外端から内端へ向け下り勾配となる傾斜踏み面３とする。
【００２３】
即ち補助ペダル１０の上面を傾斜踏み面３とし、下面をクランクアーム１の回動軸線Ｘ１と平行な面、即ちペダル２′の踏み面と平行な面にし、該平行面を以ってペダル２′の踏み面に重ねて組み付けしペダル２′上に補助ペダル１０による上記傾斜踏み面３を形成する。
【００２４】
補助ペダル１０のペダル２′に対する取り付け構造例として、図４，図５に示すように、ペダル２′の前側面と後側面から延出する締結ベルト１１を設け、該ベルト１１をペダル２′に掛け回し、締結ベルト１１に設けた面ファスナー１２（マジックテープ）を重ね付けし、ペダル２′に補助ペダル１０を締結する。又は補助ペダル１０をペダル２′に外嵌めし一体に組み付ける。
【００２５】
次に図６に示すように、ペダル２の踏み面において滑り止め突起１３を設け、該滑り止め突起１３の頂面に傾斜踏み面３を形成した場合について説明する。図示のように、ペダル２の外形を形成する周壁１４の内部に周壁１４と一体な隔壁１５を設け、該周壁１４と隔壁１５の上面に多数の突起１３を隔設し、該多数の突起１３の頂面をペダル２外端から内端へ向け下り勾配となる傾斜面とし、該傾斜面を傾斜踏み面３とする。
【００２６】
この場合周壁１４と隔壁１５の上面をペダル２外端からペダル２内端へ向け下り勾配となる傾斜面とし、該傾斜面上に上記突起１３を設け、該突起頂面に上記傾斜踏み面３を形成する。
【００２７】
上記図６に示す突起１３によって形成した傾斜踏み面３は図１乃至図３に示す傾斜踏み面３として実施することができる。
【図面の簡単な説明】
【００２８】
【図１】本発明の第１実施形態を示す自転車におけるペダルの正面図。
【図２】本発明の第２実施形態を示す自転車におけるペダルの正面図。
【図３】本発明の第３実施形態を示す自転車におけるペダルの正面図。
【図４】本発明の第４実施形態を示す自転車におけるペダルの正面図。
【図５】本発明の第４実施形態を示す自転車におけるペダルの断面図。
【図６】本発明の第５実施形態を示す自転車におけるペダルの斜視図。
【符号の説明】
【００２９】
１…クランクアーム、２，２′…ペダル、３…傾斜踏み面、４…水平踏み面、５…ペダル取り付け用アダプタ、６…雄ねじ、７…傾斜ボス、８…雄ねじ、９…足止め、１０…補助ペダル、１１…締結ベルト、１２…面ファスナー、１３…滑り止め突起、１４…周壁、１５…隔壁、１６…駆動輪、１７…反射板、Ｘ１…クランクアームの回動軸線（ペダルの公転軸線）、Ｘ２…ペダルの自転軸線、α…傾斜踏み面の傾斜角度。
【図１】
2005138619.tif 000003
【図２】
2005138619.tif 000004
【図３】
2005138619.tif 000005
【図４】
2005138619.tif 000006
【図５】
2005138619.tif 000007
【図６】
2005138619.tif 000008